(57)【要約】【課題】種々の情報を省スペースでしかも遊技者にとって見易くした遊技機を提供することを目的とする。【解決手段】このパチンコ機Ｐは、所定の表示情報を表示する柔軟性のある電子ペーパ１０を上受け皿２の内部に備え、電子ペーパ１０を上受け皿２に対して出入させる出入装置１４を備えているので、電子ペーパ１０を見るときに上受け皿２から引き出すことができ、遊技者は引き出された電子ペーパ１０を見て所望の情報を得ることができ、電子ペーパ１０を見る必要がないときには上受け皿２内に収納することができるので、電子ペーパ１０が邪魔になることもない。したがって、場所を取らずに電子ペーパ１０を具備することができる。その結果、種々の情報を省スペースでしかも遊技者にとって見易くした遊技機を提供できる。【選択図】      図５
2004180709.tif 000002
【特許請求の範囲】
【請求項１】
遊技用媒体を用いて遊技を行う遊技機において、
第１部材と第２部材との間に挟持された表示層中の帯電粒子を移動させて色を変化させることにより所定の表示情報を表示する柔軟性のある表示手段を機体の内部に備え、
前記表示手段を前記機体に対して出入させる出入手段を備えていることを特徴とする遊技機。
【発明の詳細な説明】
【０００１】
【発明の属する技術分野】
本発明は、パチンコ機やスロットマシン等の遊技機に関する。
【０００２】
【従来の技術】
従来、遊技機の代表例としてはパチンコ機がある。パチンコ機には、遊技者による操作によって球が打ち込まれ、各種の入賞口や図柄変動表示装置（可変表示装置）などが設けられた遊技領域を有する遊技盤を備えている。この遊技盤の遊技領域の一部には、例えば大当り確率、賞球数などのパチンコ機に関する情報が小さく表示されている。（例えば、特許文献１参照）。
【０００３】
【特許文献１】
特開２００２−８１５号公報  （第３−４頁、第１，２図）
【０００４】
【発明が解決しようとする課題】
しかしながら、このような構成を有する従来例の場合には、次のような問題がある。
すなわち、従来のパチンコ機では、遊技盤の遊技領域の一部に、大当り確率、賞球数などのパチンコ機に関する情報が小さく表示されているので、目立たず、パチンコ機の仕様が遊技者にとってわかり難くなっており、遊技者の興味を引くものではないという問題がある。
【０００５】
だからといって、パチンコ機に関する情報を遊技盤に大きく表示することは、以下の理由によりできない。つまり、遊技領域には、遊技者に好まれるように自己のパチンコ機の特徴を表す絵や機種名などの文字などが効果的にデザインされて表示されているので、上述のパチンコ機に関する情報を遊技盤に大きく表示するとパチンコ機のデザインを著しく損なってしまうことになり、遊技者にとって全く興味を引かないものとなる。したがって、本来的に、上述のパチンコ機に関する情報を表示するスペースを遊技盤上で大きく確保することができないのである。
【０００６】
本発明は、このような事情に鑑みてなされたものであって、種々の情報を省スペースでしかも遊技者にとって見易くした遊技機を提供することを目的とする。
【０００７】
【課題を解決するための手段】
本発明は、このような目的を達成するために、次のような構成を採る。
すなわち、請求項１に記載の発明は、遊技用媒体を用いて遊技を行う遊技機において、第１部材と第２部材との間に挟持された表示層中の帯電粒子を移動させて色を変化させることにより所定の表示情報を表示する柔軟性のある表示手段を機体の内部に備え、前記表示手段を前記機体に対して出入させる出入手段を備えていることを特徴とするものである。
【０００８】
（作用・効果）請求項１に記載の発明によれば、遊技用媒体を用いて遊技を行う遊技機において、第１部材と第２部材との間に挟持された表示層中の帯電粒子を移動させて色を変化させることにより所定の表示情報を表示する柔軟性のある表示手段を機体の内部に備え、表示手段を機体に対して出入させる出入手段を備えているので、表示手段を見るときにこの表示手段を機体から引き出すことができ、遊技者は引き出された表示手段を見て所望の情報を得ることができる。また、表示手段を見る必要がなくなったときには、表示手段を機体内に収納することができるので、表示手段が邪魔になることもない。したがって、場所を取らずに表示手段を具備することができる。つまり、機体の正面視での面積を必要以上に占有することなく表示手段を具備することができる。また、遊技者に提供すべき情報を表示するための表示ラベル（シール）等を機体の所定箇所に遊技者からいつでも見えるように設けておくことを不要にできる。その結果、種々の情報を省スペースでしかも遊技者にとって見易くした遊技機を提供することができる。なお、本明細書中で言う「機体」とは、遊技機を構成する１つの部品をいい、例えば上皿、下皿、前面枠、筐体、枠体、箱体、遊技盤、遊技盤部品などである。
【０００９】
なお、本明細書は、次のような遊技機に係る発明も開示している。
【００１０】
（１）  請求項１に記載の遊技機において、
前記表示手段は電子ペーパであることを特徴とする遊技機。
【００１１】
前記（１）に記載の発明によれば、表示手段は電子ペーパとしているので、視野角依存性がないので横からでも見やすく、所望の表示情報を表示するための表示用部材として好適に使用することができる。
【００１２】
（２）  請求項１に記載の遊技機、または、前記（１）に記載の遊技機において、
前記出入手段は、前記表示手段を巻き取った状態で前記機体の内部に収納する収納手段と、
前記表示手段を、前記機体内部に収納された巻き取り状態と、その先端側から前記機体の外部に引き出した状態とに変位する変位手段と
を備えていることを特徴とする遊技機。
【００１３】
前記（２）に記載の発明によれば、出入手段は、表示手段を巻き取った状態で機体の内部に収納する収納手段と、表示手段を機体内部に収納された巻き取り状態とその先端側から機体の外部に引き出した状態とに変位する変位手段とを備えている。つまり、出入手段は、表示手段を巻き取った状態で機体の内部に保持し、表示手段の巻き取りを解除していくようにしてこの表示手段をその先端側から機体の外部に出力可能とするものであるので、非使用時においては表示手段を機体内部にコンパクトに収納でき、使用時においては表示手段を機体から引き出した状態でこの表示手段の表示情報を見ることができる。
【００１４】
（３）  前記（２）に記載の遊技機において、
前記出入手段は、遊技用媒体を貯留する上皿または下皿、あるいは前面側に位置する前枠のいずれかの内部に設けられていることを特徴とする遊技機。
【００１５】
前記（３）に記載の発明によれば、出入手段は、遊技用媒体を貯留する上皿または下皿、あるいは前面側に位置する前枠のいずれかの内部に設けられているので、当該上皿，下皿，前枠の内部に表示手段をコンパクトに収納することができる。特に、上皿または下皿の内部に表示手段を設けた場合には、遊技者は、遊技機と対峙して席についた状態で表示手段を引き出して、この表示手段をおおよそ腹ないし胸の高さで見ることができるので、見易い姿勢で表示手段を見ることができる。
【００１６】
（４）  請求項１に記載の遊技機、または、前記（１）から（３）のいずれかに記載の遊技機において、
前記表示手段は、その先端部に、遊技者により把持される把持部を備えていることを特徴とする遊技機。
【００１７】
前記（４）に記載の発明によれば、表示手段は、その先端部に、遊技者により把持される把持部を備えているので、遊技者は、必要に応じてその把持部を把持して表示手段を手前側に引き出すことができ、表示手段の引き出し操作を容易に行うことができる。
【００１８】
（５）  請求項１に記載の遊技機、または、前記（１）から（４）のいずれかに記載の遊技機において、
前記表示手段は、前記第１部材または第２部材のいずれか一方に、前記表示層に印加する電界を形成する複数個の画素電極と、前記画素電極ごとに設けられた、前記画素電極による前記電界の形成と消失とを切り替える切替素子とを備え、その他方に、前記画素電極とともに前記電界を形成するための共通電極を備え、
さらに、前記表示手段は、制御信号を受信する受信手段と、前記受信手段で受信した制御信号に応じて前記複数個の切替素子を駆動制御する駆動制御手段とを備えていることを特徴とする遊技機。
【００１９】
前記（５）に記載の発明によれば、表示手段は、第１部材または第２部材のいずれか一方に、表示層に印加する電界を形成する複数個の画素電極と、この画素電極ごとに設けられた、画素電極による電界の形成と消失とを切り替える切替素子とを備え、その他方に、画素電極とともに電界を形成するための共通電極を備え、さらに、この表示手段は、制御信号を受信する受信手段と、この受信手段で受信した制御信号に応じて複数個の切替素子を駆動制御する駆動制御手段とを備えている。したがって、表示手段に表示させていた表示情報を新たな表示情報に書き換えて表示させることができ、種々の表示情報を表示することができる。例えば、機種変更等する場合においても、表示手段の表示情報を新たな表示情報に書き換え変更することができ、表示手段を別の表示手段に交換するという部品交換を不要とすることができることから、この表示手段を新たな表示態様で継続使用することができ、機種変更に伴う廃棄部品の発生を低減することができる。また、表示手段の表示データを書き換えるだけでよいことから、機種変更を容易に行うことができる。その結果、機種変更に対して柔軟に対応できる遊技機を提供できる。
【００２０】
（６）  請求項１に記載の遊技機、または、前記（１）から（５）のいずれかに記載の遊技機において、
前記表示手段の表示情報を制御する表示制御手段を備えていることを特徴とする遊技機。
【００２１】
前記（６）に記載の発明によれば、表示手段の表示情報を制御する表示制御手段を備えているので、表示手段の表示情報を変更するために、遊技機とは別体で外部の制御手段に接続するなどして表示手段を制御するというような必要がなく、表示制御手段からの指示によって表示手段の表示情報を迅速に容易に変更することができる。
【００２２】
（７）  前記（６）に記載の遊技機において、
前記表示制御手段は、前記遊技機の遊技を制御する主制御手段または前記遊技機の識別情報を変動表示する識別情報変動表示手段を表示制御する識別情報表示制御手段からの指示に基づいて、前記表示手段の表示情報を制御することを特徴とする遊技機。
【００２３】
前記（７）に記載の発明によれば、表示制御手段は、遊技機の遊技を制御する主制御手段または遊技機の識別情報を変動表示する識別情報変動表示手段を表示制御する識別情報表示制御手段からの指示に基づいて、表示手段の表示情報を制御するので、主制御手段または識別情報表示制御手段からの指示に基づいて表示手段の表示情報を変更制御することができる。
【００２４】
（８）  請求項１に記載の遊技機、または、前記（１）から（７）のいずれかに記載の遊技機において、
前記表示手段は、遊技情報またはその他の情報である提供情報を遊技状態にかかわらず常時に表示するものであることを特徴とする遊技機。
【００２５】
前記（８）に記載の発明によれば、表示手段は、遊技状態にかかわらず常時に遊技情報またはその他の情報である提供情報を表示するので、遊技者は、表示手段の所定領域に表示される提供情報（遊技情報または他の情報）を見ることができ、遊技機の遊技情報を取得することができる。
【００２６】
（９）請求項１に記載の遊技機、または、前記（１）から（８）のいずれかに記載の遊技機において、
前記遊技機はパチンコ機であることを特徴とする遊技機。
【００２７】
前記（９）に記載の遊技機によれば、種々の情報を省スペースでしかも遊技者にとって見易くしたパチンコ機を提供できる。なお、パチンコ機の基本構成としては操作ハンドルを備え、その操作ハンドルの操作に応じて遊技用媒体としての球を所定の遊技領域に発射し、球が遊技領域内の所定の位置に配設された作動口に入賞（または作動ゲートを通過）することを必要条件として、表示装置において動的表示されている識別情報（図柄等）が所定時間後に確定停止されるものが挙げられる。また、特別遊技状態の発生時には、遊技領域内の所定の位置に配設された可変入賞手段（特定入賞口）が所定の態様で開放されて球を入賞可能とし、その入賞個数に応じた有価価値（景品球のみならず、磁気カードへ書き込まれるデータ等も含む）が付与されるものが挙げられる。
【００２８】
（１０）請求項１に記載の遊技機、または、前記（１）から（８）のいずれかに記載の遊技機において、
前記遊技機はスロットマシンであることを特徴とする遊技機。
【００２９】
前記（１０）に記載の遊技機によれば、種々の情報を省スペースでしかも遊技者にとって見易くしたスロットマシンを提供できる。なお、スロットマシンの基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技用媒体はコイン、メダル等が代表例として挙げられる。
【００３０】
（１１）請求項１に記載の遊技機、または、前記（１）から（８）のいずれかに記載の遊技機において、
前記遊技機はパチンコ機とスロットマシンとを融合させたものであることを特徴とする遊技機。
【００３１】
前記（１１）に記載の遊技機によれば、種々の情報を省スペースでしかも遊技者にとって見易くした、パチンコ機とスロットマシンとを融合させたものを提供できる。なお、この融合させたものの基本構成としては、「複数の識別情報からなる識別情報列を動的表示した後に識別情報を確定表示する識別情報変動表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技用媒体として球を使用するとともに、前記識別情報の動的表示の開始に際しては所定数の球を必要とし、特別遊技状態の発生に際しては多くの球が払い出されるように構成されている遊技機」となる。
【００３２】
【発明の実施の形態】
以下、図面を参照して本発明の実施例を説明する。
本実施例では、遊技機の一例として弾球遊技機の一種であるパチンコ機、特に、第１種パチンコ遊技機を用いて説明する。なお、本発明を第３種パチンコ遊技機（権利物とも呼ばれる）や、コイン遊技機、スロットマシン等の他の遊技機に用いることは、当然に可能である。
【００３３】
図１は、本実施例のパチンコ機の概略正面図であり、図２はパチンコ機の遊技盤の概略正面図であり、図３は本実施例のパチンコ機の電気的接続を例示するブロック図である。本実施例のパチンコ機Ｐは、図１に示すように、遊技盤１と、球を貯留する上受け皿２および下受け皿３と、球を遊技盤１へ発射するための発射ハンドル４と、パチンコ機Ｐ全体を制御するメイン制御装置７０（図３参照）とを備えている。遊技盤１は、前面枠１ａに嵌め込まれた例えばガラス製の透明板１ｂに覆われている。なお、上述した前面枠１ａが本発明における機体に相当する。
【００３４】
図２に示すように、遊技盤１は、この遊技盤１の略中央に配置された特別図柄表示装置４０と、この特別図柄表示装置４０の下側に配置されて球の入賞を検知する特別図柄始動口スイッチ４４を有する始動口４２と、この始動口４２に取り付けられて開閉可能なチューリップ式の普通電動役物４６と、始動口４２の下側に配置されて開閉可能な大入賞口５０と、遊技盤１の左右下部に計４個配置された普通入賞口６０ａ〜６０ｄと、いずれの入賞口にも入らなかった球を回収する回収口としてのアウトロ６９とを備えている。
【００３５】
始動口４２に設けられたチューリップ式の普通電動役物４６は、所定条件が成立した場合に当りとしてそのチューリップを図２の二点鎖線で示すように所定時間（例えば０．３秒間）開くものとして構成されている。
【００３６】
特別図柄表示装置４０は、液晶ディスプレイなどの表示装置として構成されており、図３に示す表示用制御装置９０により表示内容が制御されている。特別図柄表示装置４０は、図４に示すように、左列Ｌ、中列Ｍ、右列Ｒの３列で構成され、各列ごとに上から順に上図柄、中図柄、下図柄の３個の図柄を表示し、上から下へ垂直方向に変動表示を行う。表示用制御装置９０は、球が始動口４２に入賞するのを検知したときに左列Ｌ、中列Ｍ、右列Ｒのそれぞれに一連の図柄を変動表示させる。一連の図柄は、主図柄（例えば麻雀牌）と、副図柄（例えばサイコロ）とにより構成され、周期性を持って主図柄と副図柄が上から下へと変動表示される。この一連の図柄の表示順序は、中列Ｍおよび右列Ｒにおいては、麻雀牌の「一萬」〜「九萬」、「龍」、「發」、「中」の主図柄と、各主図柄間に設けられたサイコロからなる副図柄の順つまり昇順であり、この後再び麻雀牌の「一萬」の主図柄に戻る。一方、左列Ｌにおいては、同様の一連の図柄が表示されるが、表示順序は昇順ではなく降順である。そして、左列Ｌ、右列Ｒ、中列Ｍの順に変動表示を停止させ、横上行Ｌ１、横中央行Ｌ２、横下行Ｌ３、斜め右上列Ｌ４、斜め左上列Ｌ５のいずれかのラインで主図柄が揃ったときに大当たりとして特別遊技動画を表示させる。
【００３７】
遊技盤１には、特別図柄表示装置４０の上部に４個の特別図柄変動保留ランプ４１ａ〜４１ｄが設けられている。この特別図柄変動保留ランプ４１ａ〜４１ｄは、特別図柄表示装置４０による左列Ｌ、中列Ｍ、右列Ｒの変動表示の最中や特別遊技動画を表示している最中に球が始動口４２に入賞するごとに左側から順に一つずつ点灯され、特別図柄表示装置４０による左列Ｌ、中列Ｍ、右列Ｒの変動表示が開始されるごとに点灯とは逆の順に消灯されることにより、変動表示の最中や特別遊技動画を表示している最中に始動口４２に入賞した球数を最大４個まで保留球数として示す。
【００３８】
大入賞口５０は、通常は球を受け入れない閉状態とされており、大当りのときに、図３に示す大入賞口駆動装置５２によって球を受け入れやすい開状態と通常の閉状態とが所定の条件に基づいて繰り返されるように駆動される。大入賞口５０には、球の入賞をカウントする１０カウントスイッチ５４（図３参照）や、大入賞口５０の右部に設けられたＶゾーン５６に球が入賞したのを検出するＶカウントスイッチ５８（図３参照）が取り付けられている。
【００３９】
遊技盤１には、この他、発射された球を円弧上に導くレール６２と、遊技盤１の中央部に導く左右の肩部に配置されたランプ風車６４ａ，６４ｂと、特別図柄表示装置４０の両横に配置された風車６６ａ，６６ｂと、特別図柄表示装置４０の両横等の近傍に取り付けられた複数個のインジケータ６８ａ，６８ｂなども取り付けられている。なお、図１，図２では、球をガイドしたり弾いたりしてその遊技性を高める複数個の釘についての図示を省略している。
【００４０】
図３に示すように、メイン制御装置７０は、ワンチップマイコン７１と、このワンチップマイコン７１に電源供給する電源回路７３とを備えている。このワンチップマイコン７１は、演算処理を行うＣＰＵ７２と、各種の処理プログラムを記憶するＲＯＭ７４と、データを一時的に記憶するＲＡＭ７６と、所定周波数の矩形波を出力するクロック回路７８とが、１チップ内に収められたものである。ＣＰＵ７２とＲＯＭ７４とＲＡＭ７６とクロック回路７８とは、バス８２によって入出力処理回路８０と接続されている。メイン制御装置７０には、普通図柄始動口スイッチ３６ａ，３６ｂからの通過信号と、特別図柄始動口スイッチ４４からの始動信号と、１０カウントスイッチ５４からのカウント信号と、Ｖカウントスイッチ５８からのＶ信号と、普通入賞スイッチや賞球カウントスイッチなどの他の入力装置８８からの入力信号となどが入出力処理回路８０を介して入力されている。また、メイン制御装置７０からは、大入賞口駆動装置５２への駆動信号と、特別図柄変動保留ランプ４１ａ〜４１ｄへの点灯信号と、普通電動役物４６への駆動信号と、スピーカ８６が接続された音声用制御装置８４への制御信号と、特別図柄表示装置４０の表示制御を司る表示用制御装置９０への制御信号などが入出力処理回路８０を介して出力されている。
【００４１】
ここで、本発明の特徴部分の１つである構成について、図５〜図７を用いて以下に説明する。図５は本実施例のパチンコ機の上受け皿部分の外観斜視図である。図６は上受け皿の内部に電子ペーパが巻き取り収納されている状態を示す説明図である。図７は上受け皿の内部の電子ペーパが引き出された状態を示す正面図である。
【００４２】
図５に示すように、パチンコ機Ｐの上受け皿２の正面外側面には、電子ペーパ１０が出入自在な出入口１２が備えられている。図６に示すように、電子ペーパ１０は、上受け皿２の内部に巻き取られた状態で収納されており、使用状態時には２点鎖線で示すように上受け皿２から引き出された状態となる。つまり、パチンコ機Ｐは、電子ペーパ１０を上受け皿２に対して出入させる出入装置１４を、上受け皿２の内部に備えている。電子ペーパ１０は、例えば、正面視で四角形状となっており、側面視で厚みの薄いものであり、柔軟性のある可変表示部材となっている。なお、電子ペーパ１０の表示機能の構成については後述することとする。
【００４３】
図６に示すように、出入装置１４は、電子ペーパ１０を巻き取った状態で上受け皿２の内部に収納する収納機構部２０と、電子ペーパ１０を、上受け皿２の内部に収納された巻き取り状態と、その先端側から上受け皿２の外部に引き出した状態とに変位する変位機構部３０とを備えている。
【００４４】
収納機構部２０は、電子ペーパ１０の一端側である基端部が固定された状態で、この電子ペーパ１０が軸心周りに巻き取られた円柱部材２２と、この円柱部材２２の両端側にそれぞれ設けられて、この円柱部材２２を軸支するための軸受２４とを備えている。
【００４５】
変位機構部３０は、渦巻き中央側の端部３２ａが円柱部材２２の一端側に固定され、渦巻きの外側の端部３２ｂが例えば上受け皿２に固定された渦巻きバネ３２と、円柱部材２２の他端側に設けられ、保持状態では円柱部材２２を逆戻り（逆回転）させない、つまり図６に２点鎖線で示す方向に回転させないように保持するとともに、解除状態では円柱部材２２の逆回転を可能とするラチェット機構部３４と、このラチェット機構部３４による円柱部材２２の保持を解除させるためのボタン部３６とを備えている。
【００４６】
また、図６に示すように、電子ペーパ１０の基端部に対して反対側に位置する他端部１０ａには、上受け皿２の出入口１２の上下方向の幅Ｄよりも大きい歯止め部材１６が設けられている。つまり、電子ペーパ１０が円柱部材２２に巻き取られた状態でこの電子ペーパ１０の他端部１０ａが上受け皿の出入口１２付近に留めることができるようになっている。さらに、この歯止め部材１６には、遊技者などによって把持される把持部１８が設けられている。つまり、電子ペーパ１０の把持部１８を遊技者などが把持して引っ張ることで、電子ペーパ１０の他端部１０ａを上受け皿２の出入口１２から引き出し易くなっている。
【００４７】
なおここで、上受け皿２の内部の電子ペーパ１０を引き出す動作と、上受け皿２の内部に電子ペーパ１０を収納する動作とについて説明する。図６に示すように、上受け皿２の内部に収納された電子ペーパ１０の把持部１８を遊技者などが把持して手前側に引いていくと、上受け皿２の出入口１２から電子ペーパ１０が引き出されていくとともに、渦巻きバネ３２の中央の渦巻きがきつく巻かれていくことになる。なお、このときラチェット機構部３４により、円柱部材２２を逆戻り（逆回転）させないように保持される。つまり、図７に示すように、電子ペーパ１０が引き出された状態で保持されるのである。遊技者は、図７に示すように引き出された状態の電子ペーパ１０を見ることで、この電子ペーパ１０に表示された各種の情報を得ることができる。
【００４８】
電子ペーパ１０を見終えた場合などこの電子ペーパ１０を収納しようとするときには、遊技者はボタン部３６を押下する。ボタン部３６が押下されると、ラチェット機構部３４による逆戻り（逆回転）防止が解除され、渦巻きバネ３２はきつく巻かれた状態から通常状態（緩やかに巻かれた状態）に戻ろうとして円柱部材２２を２点鎖線で示す方向に回転させ、この回転によって円柱部材２２に電子ペーパ１０が巻き取られていき、電子ペーパ１０の他端部１０ａの歯止め部材１６が上受け皿２の出入口１２に当たった状態で、円柱部材２２への電子ペーパ１０の巻き取りが停止することになる。
【００４９】
上述した上受け皿２が本発明における上皿に相当し、上述した出入装置１４が本発明における出入手段に相当し、上述した収納機構部２０が本発明における収納手段に相当し、上述した変位機構部３０が本発明における変位手段に相当する。
【００５０】
図３に示すように、本実施例のパチンコ機Ｐは、メイン制御装置７０から指示を受けた表示用制御装置９０による指示に基づいて、上受け皿２に設けられた電子ペーパ１０の表示情報を制御する電子ペーパ制御装置２０７を備えている。
【００５１】
この電子ペーパ制御装置２０７は、表示用制御装置９０による指示に基づいて、電子ペーパ１０の表示情報を変更表示するようにこの電子ペーパ１０を表示制御するものである。例えば、図７に示すように、電子ペーパ１０には、本実施例のパチンコ機Ｐの名称としての「○○パラダイス」文字表示や、大当り確率が１／３１５であること、確変割合が１／２であること、リミット回数が２００回であること、賞球数が５＆１０＆１５であること、確変図柄が１，３，５，７，９であること、今日の大当り回数がＮ回（例えば５回）であることなど、遊技者に提供したい各種の遊技情報を表示するものである。なお、電子ペーパ１０は、電子ペーパ制御装置２０７により所定の駆動電圧が一旦与えられると、例えば、図７に示すような表示情報が表示され、その後に電子ペーパ制御装置２０７からの駆動電圧が除去されても、その表示を保持できるという特性を備えている。
【００５２】
なお、上述した電子ペーパ制御装置２０７が本発明における表示制御手段に相当し、上述したメイン制御装置７０が本発明における主制御手段に相当し、上述した特別図柄表示装置４０が本発明における識別情報変動表示手段に相当し、上述した表示用制御装置９０が本発明における識別情報表示制御手段に相当する。
【００５３】
次に、図８，図９を用いて電子ペーパ１０の構成について詳細に説明する。図８は、電子ペーパ１０の構成例を示す断面図、図９は、図８に示す電子ペーパ１０のマイクロカプセルを示す断面図である。
【００５４】
なお、図８に示す電子ペーパ１０は、電気泳動（Ｅｌｅｃｔｒｏｐｈｏｒｅｓｉｓ  ）を利用した、表示パターンの書き換えや消去が可能な表示手段（表示媒体）である。
【００５５】
この電子ペーパ１０は、可撓性を有するシート状の第１基材２２１と、可撓性を有するシート状の第２基材２２０と、この第１基材２２１と第２基材２２０との間に形成された電子インク層２２２とで構成されている。電子インク層２２２の図６中上側の面が、表示パターンが表示される表示面２２２Ａとなっている。
【００５６】
電子インク層２２２は、光透過性を有する（透明な）バインダ２２３と、このバインダ２２３中に均一に分散した状態で固定されている複数のマイクロカプセル２２４とで構成されている。電子インク層２２２の厚さａは、マイクロカプセル２２４の外径（直径）ｂの１．５〜２倍程度が好ましい。また、バインダ２２３としては、例えば、ポリビニルアルコール等を用いることができる。
【００５７】
図９に示すように、マイクロカプセル２２４は、中空の球状の光透過性を有するカプセル本体２２５を有している。このカプセル本体２２５内には、液体（溶媒）２２６が充填されており、この液体２２６中には、負に帯電した複数の帯電粒子２２７が分散している。帯電粒子２２７は、核２２８と、この核２２８を被覆する被覆層２２９とで構成されている帯電粒子２２７および液体２２６の色は、互いに異なるように設定される。例えば、帯電粒子２２７の色は、白色とされ、液体２２６の色は、青色、赤色、緑色またはは黒色とされる。こうすることでカラー表示することができる。
【００５８】
マイクロカプセル２２４に外部電界（電場）を印加すると、帯電粒子２２７は、カプセル本体２２５内で、前記電界の方向と逆方向に移動する。
【００５９】
例えば、マイクロカプセル２２４の図１０中上側（表示面２２２Ａ側）に正に帯電した電極が位置すると、図１０中下側に向って電界が生じ、これにより、帯電粒子２２７は、カプセル本体２２５内の図１０中上側に移動（浮上）する。この帯電粒子２２７により、マイクロカプセル２２４の図１０中上側の色は、白色になる。
【００６０】
逆に、マイクロカプセル２２４の図１１中上側に負に帯電した電極が位置すると、図１１中上側に向って電界が生じ、これにより、帯電粒子２２７は、カプセル本体２２５内の図１１中下側に移動（沈下）する。この場合には、カプセル本体２２５内の図１１中上側に液体２２６が位置するので、液体の色が青色ならば、マイクロカプセル２２４の図１１中上側の色は、青色になる。
【００６１】
また、マイクロカプセル２２４は、液体２２６の比重と帯電粒子２２７の比重とが等しくなるように構成されている。
【００６２】
これにより、帯電粒子２２７は、図１０中上側または図１１中下側に移動後、電界が消失しても、一定の位置に長期間位置することができ、マイクロカプセル２２４の図１０，図１１中上側の色が白色、または液体の色、例えば青色に長期間保持される。すなわち、電子ペーパ１０の表示が、長期間保持される。
【００６３】
なお、液体２２６の比重と帯電粒子２２７の比重とを等しくするには、例えば、被覆層２２９の厚さｄ等を調節すればよい。マイクロカプセル２２４の外径ｂは、１８０μｍ以下が好ましく、１０〜２０μｍ程度がより好ましい。帯電粒子２２７の核２２８としては、例えば、ＴｉＯ２  （ルチル構造）等を用いることができる。また、帯電粒子２２７の被覆層２２９としては、例えば、ポリエチレン等を用いることができる。また、液体２２６としては、例えば、四塩化エチレンとイソパラフィンとに、アントラキン系染料を溶解したもの等を用いることができる。
【００６４】
なお、上述した第１基材２２１が本発明における第１部材に相当し、上述した第２基材２２０が本発明における第２部材に相当し、上述した電子インク層２２２が本発明における表示層に相当する。
【００６５】
第１基材２２１には、共通電極（下部電極）３２３が形成されている。また、第２基材２２０には、複数の画素電極（上部電極）を備えた回路基板３１３が形成されている。図１２は、回路基板３１３の回路構成を模式的に示す図である。図１２に示すように、この回路基板３１３は、可撓性（柔軟性）を有する樹脂製の基板２６１を有している。
【００６６】
この基板２６１上には、行列状に配置（配列）された複数の四角形の画素電極２６４と、各画素電極２６４の導通、非導通をそれぞれ切り替える複数の薄膜トランジスタ（ＴＦＴ）２６５と、各薄膜トランジスタ２６５のゲートに電圧（信号）を印加するゲートドライバ２６２と、各薄膜トランジスタ２６５のソースに電圧（信号）を印加するソースドライバ２６３と、図１２中横方向に延びる複数のゲートライン２７１と、図１２中縦方向に延びる複数のソースライン２８１とが、それぞれ形成されている。
【００６７】
１つの画素電極２６４が、１画素（ドット）に相当する。また、各画素電極２６４のピッチは、特に限定されないが、５００〜５０００ｄｐｉ（ドット／インチ）程度が好ましい。なお、画素電極２６４の形状が四角形に限定されないことは言うまでもない。また、画素電極２６４の配列のパターンは、行列状に限定されず、例えば、画素電極２６４がデルタ状に並んでいても差し支えない。
【００６８】
以下、図１２中、最も上側の横方向の配列を「第１行（１行目）」、上側からＮ番目の横方向の配列を「第Ｎ行（Ｎ行目）」と言う。また、図１２中、最も左側の縦方向の配列を「第１列（１列目）」、左側からＮ番目の縦方向の配列を「第Ｎ列（Ｎ列目）」と言う。
【００６９】
ゲートドライバ２６２には、図１２中横方向に延びる複数のゲートライン２７１が、それぞれ接続されている。また、ソースドライバ２６３には、図１２中縦方向に延びる複数のソースライン２８１が、それぞれ接続されている。そして、各薄膜トランジスタ２６５のゲートは、それぞれ、対応するゲートライン２７１に接続されている。また、各薄膜トランジスタ２６５のソースは、それぞれ、対応するソースライン２８１に接続されており、各薄膜トランジスタ２６５のドレインは、それぞれ、対応する画素電極２６４に接続されている。
【００７０】
ゲートドライバ２６２は、ゲートライン２７１を１行（ライン）ごとに順次走査する。例えば、「Ｎ行目のゲートライン２７１を走査する」とは、Ｎ行目のすべての薄膜トランジスタ２６５のゲートに走査時間（時間）ｔの間だけ電圧（走査電圧）を印加し、Ｎ行目のすべての薄膜トランジスタ２６５（薄膜トランジスタ６５のゲート）を走査時間ｔの間だけオンにすることを言う。このようにゲートドライバ２６２の役割は、Ｎ行目の次はＮ＋１行目、Ｎ＋１行目の次はＮ＋２行目と、順次走査すること、すなわち、順次、行単位で（１行ごとに）その行のすべての薄膜トランジスタ２６５を走査時間ｔの間だけオンさせることである。
【００７１】
ソースドライバ２６３は、データライン駆動回路とも呼ばれ、所定のゲートライン２７１に走査電圧が印加されたとき、すなわち、所定の行の薄膜トランジスタ２６５がすべてオンしたとき、画素電極２６４に、ソースライン２８１および前記薄膜トランジスタ２６５を介して制御信号（表示パターンを示す信号）に応じた電圧を印加する回路である。
【００７２】
所定のゲートライン２７１に走査電圧が印加されたときに、所定のソースライン２８１に前記電圧が印加されることにより、対応する画素電極２６４が導通する。これにより、例えば対応する画素電極２６４に所定の大きさ（例えばＶボルト）の電圧（電位）が印加された場合には、図１３に示すように、その画素電極２６４を正に帯電させることができる。なお、共通電極３２３の電位をＶ／２ボルトに設定しており、共通電極３２３に向って電界が形成される（生じる）。また、対応する画素電極２６４に所定の大きさ（例えば０ボルト）の電圧（電位）が印加された場合には、共通電極３２３の電位をＶ／２ボルトに設定しているので、図１４に示すように、その画素電極２６４を負に帯電させることができ、画素電極２６４に向って電界が形成される（生じる）。これにより、各画素電極２６４と共通電極３２３との間に方向の異なる２つの電界を選択的に形成し、表示パターンを表示する。なお、各画素電極２６４と共通電極３２３との間に方向の異なる２つの電界を選択的に形成することができることから、表示パターンがオーバーライト可能である。
【００７３】
画素電極２６４と共通電極３２３との間に印加される電圧（画素電極２６４と共通電極３２３の電位差）の大きさは、特に限定されないが、絶対値で、１０ボルト以上が好ましく、２０ボルト以上がより好ましい。
【００７４】
図１２に示すように、電子ペーパ１０は、ゲートドライバ２６２およびソースドライバ２６３に接続され、電子ペーパ制御装置２０７から制御信号を受信するためのコネクタ部２０８と、コネクタ部２０８とゲートドライバ２６２およびソースドライバ２６３をそれぞれ接続する配線部２０９とを備えている。なお、コネクタ部２０８は、電子ペーパ１０の端部側の所定位置に一体的に設けられている。また、コネクタ部２０８および配線部２０９は、出入装置１４による電子ペーパ１０の巻き取り動作に邪魔にならないようになっている。例えば、コネクタ部２０８を、電子ペーパ１０の側端部（基端部、他端部以外の端部）に設け、配線部２０９を十分な長さのものとするなど、種々の方法が採用可能である。各薄膜トランジスタ２６５の駆動は、それぞれ、制御手段２０７により、ゲートドライバ２６２およびソースドライバ２６３を介して制御される。電子ペーパ制御装置２０７は、通常、ロジック回路とメモリ回路等からなる集積回路で構成され、表示用制御装置９０からの指示に基づいて各薄膜トランジスタ２６５の制御を行う。
【００７５】
なお、上述した薄膜トランジスタ２６５が本発明における切替素子に相当し、上述したコネクタ部２０８および配線部２０９が本発明における受信手段に相当し、上述したゲートドライバ２６２およびソースドライバ２６３が本発明における駆動制御手段に相当する。
【００７６】
ここで、上述の第２基材２２０の画素電極２６４および第１基材２２１の共通電極３２３の電圧（電位）を制御する方法について、図１５を用いて説明する。図１５は、第２基材２２０の画素電極２６４および第１基材２２１の共通電極３２３の電圧（電位）と、それに対応する表示パターンとを示す図である。
【００７７】
この方法で、電子ペーパ１０に表示パターンを形成する場合には、共通電極３２３の電圧２４２を、画素電極２６４の電圧２４１の最高値と最低値との中間の値（中間値＝一定値）に設定する。すなわち、画素電極２６４の電圧２４１が０からＶボルトに変化する場合（最高値＝Ｖボルト、最低値＝０ボルトの場合）には、共通電極３２３の電圧２４２をＶ／２ボルトに設定する。
【００７８】
例えば、図１５に示す表示パターン２４３を電子ペーパ１０の所定の行に描画する場合、その行に対応する行の薄膜トランジスタ２６５のゲートがオンしているとき、それらの薄膜トランジスタ２６５のソースに、電圧パターン２４１ａで示す電圧、すなわち、０またはＶボルトの電圧を印加する。その際、共通電極３２３の電圧２４２を、電圧パターン２４２ａで示す電圧、すなわち、Ｖ／２ボルトに設定する。
【００７９】
このようにすると、例えば、（Ｎ−２）列目では、画素電極２６４の電圧２４１はＶボルトであり、共通電極３２３の電圧２４２はＶ／２ボルトであるので、電界は画素電極２６４から共通電極３２３に向って形成され、電子ペーパ１０の各帯電粒子２２７は、それぞれ、カプセル本体２２５内の図１０中上側に移動し、電子ペーパ１０の表示面２２２Ａの色は白色になる。
【００８０】
逆に、（Ｎ−１）列目では、画素電極２６４の電圧２４１は０ボルトであり、共通電極３２３の電圧２４２はＶ／２ボルトであるので、電界は共通電極３２３から画素電極２６４に向って形成され、電子ペーパ１０の各帯電粒子２２７は、それぞれ、カプセル本体２２５内の図１１中下側に移動し、電子ペーパ１０の表示面２２２Ａの色は青色になる。
【００８１】
以下、同様にして、Ｎ列目〜（Ｎ＋３）列目についても画素電極２６４の電圧２４１に従って、画素電極２６４と共通電極３２３との間に形成される電界の方向、すなわち、電子ペーパ１０の色が決まり、電子ペーパ１０の所定の行に表示パターン２４３を描画することができる。
【００８２】
このようにして、電子ペーパ１０の表示面２２２Ａの所定の部位（画素）の色は、画素電極２６４の電圧２４１のみによって一意的に決まるので、以前に電子ペーパ１０の表示面２２２Ａの色が何色になっていたかにかかわらず、電子ペーパ１０の各画素電極２６４と共通電極３２３を制御することで、その電子ペーパ１０に表示パターンを描画することができる（白と青のパターンが一意的に決まる）。すなわち、電子ペーパ１０に表示パターンをオーバーライトすることができ、電子ペーパ１０に、繰り返し、文字、数字、図形等の所定の表示情報（例えば、図７に示すような表示情報）を描画することができる。なお、上述した電子ペーパ１０が本発明における表示手段に相当する。
【００８３】
ここで、本発明の１つの特徴部分である、電子ペーパ１０の表示情報を変更表示する処理について、図３，図７を用いて説明する。
【００８４】
電子ペーパ１０にパチンコＰの遊技情報（図７参照）が表示されている場合に、これとは別の新たな情報を表示させる場合には、図３に示すように、メイン制御装置７０のＣＰＵ７２は、この新たな情報を表示させるように表示用制御装置９０を制御する。つまり、表示用制御装置９０はメイン制御装置７０から新たな遊技情報についての表示指示を受けると、電子ペーパ１０にパチンコＰの新たな遊技情報（図７参照）を表示させるように、電子ペーパ制御装置２０７を制御する。電子ペーパ制御装置２０７により、新たな情報についての駆動電圧が電子ペーパ１０に与えられると、電子ペーパ１０はこの新たな情報を表示することになる。
【００８５】
上述したように本実施例のパチンコ機Ｐによれば、第１基材２２１と第２基材２２０との間に挟持された電子インク層２２２中の帯電粒子２２７を移動させて色を変化させることにより所定の表示情報を表示する、柔軟性のある電子ペーパ１０を上受け皿２の内部に備え、電子ペーパ１０を上受け皿２に対して出入させる出入装置１４を備えているので、電子ペーパ１０を見るときにこの電子ペーパ１０を上受け皿２から引き出すことができ、遊技者は引き出された電子ペーパ１０を見て所望の情報を得ることができる。また、電子ペーパ１０を見る必要がなくなったときには、電子ペーパ１０を上受け皿２内に収納することができるので、電子ペーパ１０が邪魔になることもない。したがって、場所を取らずに電子ペーパ１０を具備することができる。つまり、上受け皿２の正面視での面積を必要以上に占有することなく表示手段（電子ペーパ１０）を具備することができる。また、遊技者に提供すべき情報を表示するための表示ラベル（シール）等を機体（遊技盤１，上受け皿２，下受け皿３，前面枠１ａなど）の所定箇所に遊技者からいつでも見えるように設けておくことを不要にできる。その結果、種々の情報を省スペースでしかも遊技者にとって見易くした遊技機を提供することができる。
【００８６】
また、電子ペーパ１０はカラー表示が可能なものとしているので、視野角依存性がないので横からでも見やすく、所望の表示情報を表示するための表示用部材として好適に使用することができる。
【００８７】
また、出入装置１４は、電子ペーパ１０を巻き取った状態で上受け皿２の内部に収納する収納機構部２０と、電子ペーパ１０を上受け皿２内部に収納された巻き取り状態とその先端側から上受け皿２の外部に引き出した状態とに変位する変位機構部３０とを備えている。つまり、出入装置１４は、電子ペーパ１０を巻き取った状態で上受け皿２の内部に保持し、電子ペーパ１０の巻き取りを解除していくようにしてこの電子ペーパ１０をその先端側から上受け皿２の外部に出力可能とするものであるので、非使用時においては電子ペーパ１０を上受け皿２内部にコンパクトに収納でき、使用時においては電子ペーパ１０を上受け皿２から引き出した状態でこの電子ペーパ１０の表示情報を見ることができる。
【００８８】
また、電子ペーパ１０は、その先端部に、遊技者により把持される把持部１８を備えているので、遊技者は、必要に応じてその把持部１８を把持して電子ペーパ１０を手前側に引き出すことができ、電子ペーパ１０の引き出し操作を容易に行うことができる。
【００８９】
また、電子ペーパ１０は、第１基材２２１または第２基材２２０のいずれか一方に、電子インク層２２２に印加する電界を形成する複数個の画素電極２６４と、この画素電極２６４ごとに設けられた、画素電極２６４による電界の形成と消失とを切り替える薄膜トランジスタ２６５とを備え、その他方に、画素電極２６４とともに電界を形成するための共通電極３２３を備え、さらに、この電子ペーパ１０は、制御信号を受信するコネクタ部２０８および配線部２０９と、このコネクタ部２０８および配線部２０９で受信した制御信号に応じて複数個の薄膜トランジスタ２６５を駆動制御するゲートドライバ２６２およびソースドライバ２６３とを備えている。したがって、電子ペーパ１０に表示させていた表示情報を新たな表示情報に書き換えて表示させることができ、種々の表示情報を表示することができる。例えば、機種変更等する場合においても、電子ペーパ１０の表示情報を新たな表示情報に書き換え変更することができ、電子ペーパ１０を別の表示手段に交換するという部品交換を不要とすることができることから、この電子ペーパ１０を新たな表示態様で継続使用することができ、機種変更に伴う廃棄部品の発生を低減することができる。また、電子ペーパ１０の表示データを書き換えるだけでよいことから、機種変更を容易に行うことができる。その結果、機種変更に対して柔軟に対応できる遊技機を提供できる。
【００９０】
また、電子ペーパ１０の表示情報を制御する電子ペーパ制御装置２０７を備えているので、電子ペーパ１０の表示情報を変更するために、パチンコ機Ｐとは別体で外部の制御手段に接続するなどして電子ペーパ１０を制御するというような必要がなく、電子ペーパ制御装置２０７からの指示によって電子ペーパ１０の表示情報を迅速に容易に変更することができる。
【００９１】
また、電子ペーパ制御装置２０７は、パチンコ機Ｐの図柄を変動表示する特別図柄表示装置４０を表示制御する表示用制御装置９０からの指示に基づいて、電子ペーパ１０の表示情報を制御するので、表示用制御装置９０からの指示に基づいて電子ペーパ１０の表示情報を変更制御することができる。
【００９２】
電子ペーパ１０は、遊技状態にかかわらず常時に遊技情報またはその他の情報である提供情報を表示するので、遊技者は、電子ペーパ１０の所定領域に表示される提供情報（遊技情報または他の情報）を見ることができ、パチンコ機Ｐの遊技情報を取得することができる。
【００９３】
本発明は、上記実施形態に限られることはなく、下記のように変形実施することができる。
【００９４】
（１）上述の実施例では、電子ペーパ１０を手動操作により機体（例えば上受け皿２）に対して出入させているが、電子ペーパ１０の機体（例えば上受け皿２）からの引き出しまたは電子ペーパ１０の機体（例えば上受け皿２）内部への収納の少なくとも一方を自動で行うようにしてもよい。
【００９５】
（２）上述の実施例では、図１０，図１１に示すように、電気泳動を利用した電子ペーパ１０に、複数の画素電極２６４と薄膜トランジスタ２６５とゲートドライバ２６２とソースドライバ２６３とを備えたマトリクス回路を設けているが、トナータイプの電子ペーパやその他のタイプの電子ペーパに上述のマトリクス回路を設けるようにしてもよい。
【００９６】
（３）上述の実施例では、図５に示すように、パチンコ機Ｐの上受け皿２に電子ペーパ１０を設けているが、パチンコ機Ｐの上受け皿２以外の部材であって遊技者から見える部材、例えば、下受け皿３や遊技盤１（例えば、前面枠１ａ）や遊技盤部品などの所定箇所に電子ペーパ１０を設けるようにしてもよい。例えば、遊技盤部品としての、特別図柄表示装置４０の表示画面の周囲の少なくとも一部を覆うようにした覆い部材（例えば、いわゆるセンターフレーム）の所定箇所（例えば上部）の内部に電子ペーパ１０を設け、所定の出動条件が成立したときに、特別図柄表示装置４０の表示画面の少なくとも一部が隠されるように電子ペーパ１０が引き出され、所定の収納条件が成立したときに、覆い部材の内部に電子ペーパ１０を収納するようにしてもよい。
【００９７】
（４）上述の実施例では、図１７に示すように、電子ペーパ１０を、正面視で略四角形状のものとしているが、その形状に限定されるものではなく、帯状など種々の形状のものとしてもよい。
【００９８】
（５）上述の実施例では、図１２に示すように、コネクタ部２０８および配線部２０９で外部機器からの制御信号を有線にて受信するようにしているが、コネクタ部２０８に替えて受信部を備えるようにして、電子ペーパ制御装置２０７からの制御信号を無線にて受信するようにしてもよい。
【００９９】
（６）上述の実施例では、電子ペーパ制御装置２０７は、パチンコ機Ｐの図柄を変動表示する特別図柄表示装置４０を表示制御する表示用制御装置９０からの指示に基づいて、電子ペーパ１０の表示情報を制御しているが、パチンコ機Ｐの遊技を制御するメイン制御装置７０から直接に指示を受けて電子ペーパ１０の表示情報を制御してもよい。
【０１００】
（７）上述の実施例では、出入口１２を水平方向に設けているが、縦方向に設けてもよい。
【０１０１】
（８）上述の実施例では、電子ペーパ１０を丸めた状態で機体（例えば上受け皿２）の内部に収納しているが、電子ペーパ１０を丸めていない状態（例えば、平面形状のまま）で機体内部に収納するようにしてもよい。
【０１０２】
（９）上述の実施例では、電子ペーパ１０に遊技情報を表示するようにしているが、遊技情報に限らず、遊技場からの情報（特典情報や案内情報など種々の情報）や、時事ニュースや天気予報など世間一般に共通する情報などを、電子ペーパ１０に表示するようにしてもよい。
【０１０３】
（１０）本発明を上記実施例とは異なるタイプのパチンコ機等に実施してもよい。例えば、一度大当たりすると、それを含めて複数回（例えば２回、３回）大当たり状態が発生するまで、大当たり期待値が高められるようなパチンコ機（通称、２回権利物、３回権利物と称される。）として実施してもよい。また、大当たり図柄が表示された後に、所定の領域に球を入賞されることを必要条件として特別遊技状態となるパチンコ機として実施してもよい。また、球が所定の入賞口に入ることで特別遊技状態となるパチンコ機として実施してもよい。さらに、パチンコ機以外にも、アレンジボール型パチンコ、雀球、いわゆるパチンコ機とスロットマシンとが融合した遊技機等の各種遊技機として実施するようにしてもよい。
【０１０４】
なお、スロットマシンは、例えばコインを投入して図柄有効ラインを決定させた状態で操作レバーを操作することにより図柄が変動され、ストップボタンを操作することにより図柄が停止されて確定されるものである。従って、スロットマシンの基本概念としては、「複数の図柄からなる図柄列を変動表示した後に図柄を確定表示する可変表示手段を備え、始動用操作手段（例えば操作レバー）の操作に起因して図柄の変動が開始され、停止用操作手段（例えばストップボタン）の操作に起因して、あるいは、所定時間経過することにより、図柄の変動が停止され、その停止時の確定図柄が特定図柄であることを必要条件として、遊技者に有利な特別遊技状態を発生させる特別遊技状態発生手段とを備えたスロットマシン」となり、この場合、遊技用媒体はコイン、メダル等が代表例として挙げられる。
【０１０５】
なお、パチンコ機とスロットマシンとが融合した遊技機の具体例としては、複数の図柄からなる図柄列を変動表示した後に図柄を確定表示する可変表示手段を備えており、球打出用のハンドルを備えていないものが挙げられる。この場合、所定の操作（ボタン操作）に基づく所定量の球の投入の後、例えば操作レバーの操作に起因して図柄の変動が開始され、例えばストップボタンの操作に起因して、あるいは、所定時間経過することにより、図柄の変動が停止され、その停止時の確定図柄がいわゆる大当たり図柄であることを必要条件として遊技者に有利な大当たり状態が発生させられ、遊技者には、下部の受け皿に多量の球が払い出されるものである。
【０１０６】
【発明の効果】
以上の説明から明らかなように、本発明によれば、第１部材と第２部材との間に挟持された表示層中の帯電粒子を移動させて色を変化させることにより所定の表示情報を表示する柔軟性のある表示手段を機体の内部に備え、表示手段を機体に対して出入させる出入手段を備えているので、表示手段を見るときにこの表示手段を機体から引き出すことができ、遊技者は引き出された表示手段を見て所望の情報を得ることができる。また、表示手段を見る必要がなくなったときには、表示手段を機体内に収納することができるので、表示手段が邪魔になることもない。したがって、場所を取らずに表示手段を具備することができる。つまり、機体の正面視での面積を必要以上に占有することなく表示手段を具備することができる。また、遊技者に提供すべき情報を表示するための表示ラベル（シール）等を機体の所定箇所に遊技者からいつでも見えるように設けておくことを不要にできる。その結果、種々の情報を省スペースでしかも遊技者にとって見易くした遊技機を提供することができる。
【図面の簡単な説明】
【図１】本発明の実施例のパチンコ機の概略正面図である。
【図２】パチンコ機の遊技盤の概略正面図である。
【図３】実施例のパチンコ機の電気的接続を例示するブロック図である。
【図４】特別図柄表示装置における主図柄と副図柄とから構成される左列、中列、右列の図柄を例示した説明図である。
【図５】本実施例のパチンコ機の上受け皿部分の外観斜視図である。
【図６】上受け皿の内部に電子ペーパが巻き取り収納されている状態を示す説明図である。
【図７】上受け皿の内部の電子ペーパが引き出された状態を示す正面図である。
【図８】実施例の電子ペーパの構成例を示す断面図である。
【図９】実施例の電子ペーパのマイクロカプセルを示す断面図である。
【図１０】実施例の電子ペーパの表示面が白色に見える場合の断面図である。
【図１１】実施例の電子ペーパの表示面が青色に見える場合の断面図である。
【図１２】回路基板の回路構成を模式的に示す図である。
【図１３】実施例の電子ペーパの１画素分を示す側面図である。
【図１４】実施例の電子ペーパの１画素分を示す側面図である。
【図１５】第２基材の画素電極および第１基材の共通電極の電圧とそれに対応する表示パターンとを示す図である。
【符号の説明】
１ａ…  前面枠（機体、前枠）
２  …  上受け皿（機体、上皿）
３  …  下受け皿（機体、下皿）
１０  …  電子ペーパ（表示手段）
１４  …  出入装置（出入手段）
１８  …  把持部
２０  …  収納機構部（収納手段）
３０  …  変位機構部（変位手段）
４０  …  特別図柄表示装置（識別情報変動表示手段）
７０  …  メイン制御装置（主制御手段）
９０  …  表示用制御装置（識別情報表示制御手段）
２０７  …  電子ペーパ制御装置（表示制御手段）
２０８  …  コネクタ部（受信手段）
２０９  …  配線部（受信手段）
２２０  …  第２基材（第２部材）
２２１  …  第１基材（第１部材）
２２２  …  電子インク層（表示層）
２２７  …  帯電粒子
２６２  …  ゲートドライバ（駆動制御手段）
２６３  …  ソースドライバ（駆動制御手段）
２６４  …  画素電極
２６５  …  薄膜トランジスタ（切替素子）
３２３  …  共通電極
【図１】
2004180709.tif 000003
【図２】
2004180709.tif 000004
【図３】
2004180709.tif 000005
【図４】
2004180709.tif 000006
【図５】
2004180709.tif 000007
【図６】
2004180709.tif 000008
【図７】
2004180709.tif 000009
【図８】
2004180709.tif 000010
【図９】
2004180709.tif 000011
【図１０】
2004180709.tif 000012
【図１１】
2004180709.tif 000013
【図１２】
2004180709.tif 000014
【図１３】
2004180709.tif 000015
【図１４】
2004180709.tif 000016
【図１５】
2004180709.tif 000017